(57)【要約】【課題】一回の切断動作で記録媒体を真っ直ぐに切断できる画像形成装置を提供する。【解決手段】押付ユニット５０は、記録媒体のうち排紙方向（矢印Ａ方向）に直交する幅方向（矢印Ｂ，Ｃ方向に平行）の中央部分を押え付けておくものである。また、押圧ユニット５０は、排紙ガイド３０に載置された記録媒体のうち、排紙方向に直交する幅方向に延びる切断線３２よりも排紙方向下流側の直近部分を押え付ける。押圧ユニット５０は、キャリッジ２０の側壁に固定された固定ユニット６０と、排紙ガイド３０のうち幅方向中央部に形成された凸部５２と、固定ユニット６０の押付部６２を押付位置に移動させるトリガー５４と、押付部６２を収納位置に移動させる収納用傾斜部５６から構成されている。【選択図】      図５
2005238785.tif 000002
【特許請求の範囲】
【請求項１】
画像が形成された記録媒体を、所定の排紙方向に交差する切断線で切断して前記排紙方向に排出する画像形成装置において、
記録媒体のうち前記切断線の近傍部分を押え付けておく押付手段を備えたことを特徴とする画像形成装置。
【請求項２】
前記押付手段は、
記録媒体のうち前記切断線よりも排紙方向下流側の直近部分を押え付けるものであることを特徴とする請求項１に記載の画像形成装置。
【請求項３】
前記押付手段は、
記録媒体のうち前記排紙方向に直交する幅方向の中央部分を押え付けるものであることを特徴とする請求項１又は２に記載の画像形成装置。
【請求項４】
前記押付手段は、
記録媒体をその上面から押え付ける押付部と、
該押付部の下方から記録媒体の下面を押し上げる凸部とを有するものであることを特徴とする請求項１，２，又は３に記載の画像形成装置。
【請求項５】
前記押付部は、
前記切断方向に自在に回転するものであることを特徴とする請求項４又は５に記載の画像形成装置。
【請求項６】
画像が形成された記録媒体を、所定の排紙方向に交差する切断線で切断して前記排紙方向に排出する画像形成装置において、
切断されて排出される記録媒体の排紙方向上流側部分を押え付けるベルト状部材を備え、
該ベルト状部材は、記録媒体の上面からこの記録媒体を押え付けるものであり、
前記ベルト状部材の下方に配置されて該ベルト状部材を吸着する吸着部材を備えたことを特徴とする請求項５に記載の画像形成装置。
【請求項７】
前記ベルト状部材は、磁性体のものであり、
前記吸着部材は、前記ベルト状部材の長手方向に並んで配置された複数の電磁石からなるものであり、
これら複数の電磁石は、
画像が形成されて切断される記録媒体のサイズに応じたものだけが前記ベルト状部材を吸着するように動作するものであることを特徴とする請求項６に記載の画像形成装置。
【発明の詳細な説明】
【技術分野】
【０００１】
本発明は、画像が形成された記録媒体を所定の位置（切断線）で切断して排紙方向に排出する画像形成装置に関する。
【背景技術】
【０００２】
Ａ１サイズやＡ０サイズの幅をもつ大判サイズのロール状記録紙（ロ−ル紙）に印字ヘッドなどからインクを吐出して画像を形成するインクジェットプリンタが広く使用されている。このインクジェットプリンタでは、画像を形成した後（印字終了後）、用紙搬送方向に直交する切断方向にカッタを移動させてロ−ル紙を切断する。この場合、ロ−ル紙の幅方向一端から他端にカッタを移動させながらロ−ル紙を所定の長さにカッタで切断する。切断されたロ−ル紙は排出されてバスケットに収納される。
【発明の開示】
【発明が解決しようとする課題】
【０００３】
ところが、上記のように大判サイズのロ−ル紙に画像を形成する場合、画像が形成された部分（画像形成部分）の排紙方向長さが長いときは、ロ−ル紙をその一端からカッタで切断している途中に画像形成部分がその自重で垂れ下がって傾斜することがある。このため、排紙方向に交差する切断方向に延びるはずの切り口が傾斜したり跳ね上がった形状になったりする。このような切り口は不良であるので画像形成部分を切断し直して切り口を直線にする。
【０００４】
本発明は、上記事情に鑑み、一回の切断動作で記録媒体を真っ直ぐに切断できる画像形成装置を提供することを目的とする。
【課題を解決するための手段】
【０００５】
上記目的を達成するための本発明の第１の画像形成装置は、画像が形成された記録媒体を、所定の排紙方向に交差する切断線で切断して前記排紙方向に排出する画像形成装置において、
（１）記録媒体のうち前記切断線よりも排紙方向下流側の部分を押え付けておく押付手段を備えたことを特徴とするものである。
【０００６】
ここで、
（２）前記押付手段は、記録媒体のうち前記切断線よりも排紙方向下流側の直近部分を押え付けるものであってもよい。
【０００７】
また、
（３）前記押付手段は、記録媒体のうち前記排紙方向に直交する幅方向の中央部分を押え付けるものであってもよい。
【０００８】
さらに、
（４）前記押付手段は、
（４−１）記録媒体をその上面から押え付ける押付部と、
（４―２）該押付部の下方から記録媒体の下面を押し上げる凸部とを有するものであってもよい。
【０００９】
さらにまた、
（５）前記押付部は、前記切断方向に自在に回転するものであってもよい。
【００１０】
また、上記目的を達成するための本発明の第２の画像形成装置は、画像が形成された記録媒体を、所定の排紙方向に交差する切断線で切断して前記排紙方向に排出する画像形成装置において、
（６）切断されて排出される記録媒体の排紙方向上流側部分を押え付けるベルト状部材を備え、
（７）該ベルト状部材は、記録媒体の上面からこの記録媒体を押え付けるものであり、
（８）前記ベルト状部材の下方に配置されて該ベルト状部材を吸着する吸着部材を備えてもよい。
【００１１】
また、
（９）前記ベルト状部材は、磁性体のものであり、
（１０）前記吸着部材は、前記ベルト状部材の長手方向に並んで配置された複数の電磁石からなるものであり、
（１１）前記複数の電磁石は、画像が形成されて切断される記録媒体のサイズに応じたものだけが前記ベルト状部材を吸着するように動作するものであってもよい。
【発明の効果】
【００１２】
本発明の第１の画像形成装置では、記録媒体を切断する際に、記録媒体のうち切断線の近傍部分を押付手段で押し付けておくことにより、排出される記録媒体が自重で傾く事が防止される。従って、記録媒体を切断線で真っ直ぐに切断できる。この結果、切断されて排出された記録媒体を切断し直すなどの作業は不要となる。
【００１３】
本発明の第２の画像形成装置では、記録媒体を切断する際に、切断されて排出される記録媒体の排紙方向上流側部分をベルト状部材で押え付けておくことにより、排出される記録媒体が自重で傾く事が防止される。従って、記録媒体を切断線で真っ直ぐに切断できる。この結果、切断されて排出された記録媒体を切断し直すなどの作業は不要となる。
【発明を実施するための最良の形態】
【００１４】
大判サイズのロ−ル紙に画像を形成する画像形成装置に本発明を実現した。
【実施例１】
【００１５】
図１を参照して、第１実施形態の画像形成装置を説明する。
【００１６】
図１は、第１実施形態のインクジェットプリンタ（プロッタ）を示す斜視図である。
【００１７】
プロッタ１０は、矢印Ａ方向（本発明にいう排紙方向の一例である）に搬送される記録紙１２が載置されるプラテン１４を備えている。このプラテン１４の上方には、プラテン１４に平行に２本の走査レール（図示せず）が掛け渡されている。この走査レールにはモータ１６とベルト１８によって矢印Ｂ，Ｃ方向（矢印Ａ方向に直交する方向であり、主走査方向である）に往復運動するキャリッジ２０がスライド軸受け（図示せず）を介して取り付けられている。
【００１８】
キャリッジ２０の移動経路に沿ってリニアスケール（図示せず）が配置されている。リニアスケールには、キャリッジ２０の位置検出およびインク吐出タイミングを定めるための規則的なスリットが設けられている。また、このリニアスケールのスリットを読み取るために、キャリッジ２０に光学式リニアスケールセンサ（図示せず）が搭載されている。この光学式リニアスケールセンサから出力されるパルスをカウントすることにより、矢印Ｂ，Ｃ方向におけるキャリッジ２０の位置が決定される。パルスカウントの初期化は、電源オン時に走査レールの端部にあるホームポジション（ＨＰ）センサ（図示せず）の位置へキャリッジ２０を移動させることによって行われる。
【００１９】
また、キャリッジ２０には反射型光学センサ（図示せず）が搭載されており、これにより後述するように記録紙１２の端部が検出される。また、反射型光学センサで記録紙１２の主走査方向両端部を検出することによって、この記録紙１２の主走査方向の長さＷを測定できる。
【００２０】
上記したプロッタ１０で記録媒体に画像を形成する動作を説明する。
【００２１】
画像を形成するに先立って、ロール紙など記憶媒体のサイズを測定して記録可能範囲を検出するために、プラテン１４に記録紙１２を載置する。続いて、プラテン１４に形成された開口部から外周面の一部を露出した搬送ローラ２４と、記録紙１２を上方から押えるピンチローラ２６とによって記録紙１２を狭持しながら、媒体搬送モータ１７によって搬送ローラ２４を回転させて記録紙１２の先端をプラテン１４から排出させるまで搬送する。また、キャリッジ２０を記録媒体載置基準位置２７から矢印Ｂ方向へ最小記録媒体サイズ（ＩＳＯＡ４  ２１０ｍｍ×２９７ｍｍ）よりも短い距離（ここでは３０ｍｍ）移動させる。
【００２２】
次に搬送ローラ２４を逆転させて、キャリッジ２０に備えられている反射式光学センサでプラテン１４を検出するまで記録紙１２を矢印Ａ方向とは反対の方向に搬送する。プラテン１４を検出した位置が記録紙１２の先端位置である。
【００２３】
続いて、記録紙１２を所定距離（例えば１００ｍｍ）だけ矢印Ａ方向に搬送して、キャリッジ２０を記録媒体載置基準位置２７から矢印Ｃ方向へ外れた位置へ移動し、その後、キャリッジ２０を矢印Ｂ方向へ一定速度で移動させる。キャリッジ２０を移動させながら、反射式光学センサが記録紙１２からの反射光を検出した時点の位置が記録紙１２の矢印Ｃ方向の側端部である。さらに、キャリッジ２０の移動を継続してプラテン１４を検出した時点の位置が記録媒体の矢印Ｂ方向の側端部である。
【００２４】
以上の処理により、プラテン１４に載置された記録紙１２の先端位置、および両側端部（横幅Ｗである）が決定し画像形成可能となる。この動作はロード処理と呼ばれており、新規に記録媒体をプロッタ１０に装着した際に必ず行われる動作である。
【００２５】
記録紙１２に画像を記録する（形成する）にあたっては、プラテン１４上に記録紙１２を載置し、記録紙１２の上方でキャリッジ２０を矢印Ｂ，Ｃ方向に往復動させて（走査させて）、所定のデータをヘッドノズル列方向へデータ変換し、変換されたデータをリニアスケール（図示せず）のカウントパルスに同期して順次にヘッド制御部（図示せず）へ送信する。ヘッド制御部から印字ヘッド２２に送信された画像情報を含む画像信号に基づいてノズルからインクを吐出して、記録紙１２上の、印字ヘッド２２に対応する領域に帯状（バンド）の画像を形成する。記録紙１２を順次に所定の搬送量だけ移動させながら、このような帯状の画像を繰り返して形成する。これにより１ページ分の画像形成が完了する。１ページ分の画像を形成し終わった後、キャリッジ２０に搭載されたカッタ（図示せず）をカッタガイド（図示せず）内の所定位置まで突出させて、キャリッジ２０を移動させることにより記録紙１２を所定サイズに裁断する。記録紙１２のうち画像が形成された画像形成部分１２ａは排紙ガイド３０に載置されて案内されながら排出される。
【００２６】
上記したようにカッタで記録紙１２を切断する際は、切断される位置（切断線３２）よりも排紙方向下流側の部分が押え付けられる。この結果、記録紙１２を真っ直ぐに切断できるので、画像形成部分１２ａを切断し直すなどの作業は不要となる。このように記録紙１２を押え付けて切断する技術について、図２から図８までを参照して説明する。
【００２７】
図２は、記録媒体を押し付けておく押付ユニットが備えられたキャリッジを示す斜視図であり、部品や部材を省略している。図３は、凸部が形成された排紙ガイドを上面から見た斜視図である。図４は、押付ユニットを示す側面図である。図５は、キャリッジに固定された押付ユニットを示す斜視図である。図６は、押付ユニットの内部を示す斜視図である。図７は、切断手順を示すフローチャートである。
【００２８】
押付ユニット（本発明にいう押付手段の一例である）５０は、記録媒体のうち排紙方向（矢印Ａ方向）に直交する幅方向（矢印Ｂ，Ｃ方向に平行な方向）の中央部分を押え付けておくものである。また、押圧ユニット５０は、排紙ガイド３０に載置された記録媒体のうち、排紙方向に直交する幅方向に延びる切断線３２よりも排紙方向下流側の直近部分を押え付ける。押圧ユニット５０の動作を説明する。
【００２９】
押圧ユニット５０は、キャリッジ２０の側壁に固定された固定ユニット６０と、排紙ガイド３０のうち幅方向中央部に形成された凸部５２と、固定ユニット６０の押付部６２を押付位置に移動させるトリガー５４と、押付部６２を収納位置に移動させる収納用傾斜部５６から構成されている。トリガー５４は、図２では空中に浮いているように見えるが、実際は、プロッタ１０の壁に固定されている。
【００３０】
固定ユニット６０はキャリッジ２０と共に移動する。記録媒体を押え付ける必要の無いときは、押付部６２は収納位置に収納されている。記録媒体を押え付けるに際しては、先ず、キャリッジ２０をトリガー５４に向けて移動させて押付部６２を押付位置に移動させる。その後、キャリッジ２０を幅方向中央部に移動させて、記録媒体のうち凸部５２に載置されている部分（この部分の下面が凸部５２に接触している）を押付部６２がその記録媒体の上面から押し付ける。これにより、記録媒体は、その幅方向中央部分が押え付けられることとなる。この状態で、丸刃（図示せず）を備えた切断装置９０を下刃９２に沿って（切断線３２に沿って）移動させる。この結果、記録媒体は切断線３２で切断されるが、排紙方向に排出される記録媒体の幅方向中央部が押付部６２と凸部５２によって押え付けられているので、記録媒体は自重で傾かない。従って、記録媒体を切断線３２で真っ直ぐに切断できるので、切断面を切断し直すなどの作業は不要となる。
【００３１】
上記のようにして記録媒体が切断された後は、キャリッジ２０を収納傾斜部５６に向けて移動させて押付部６２を固定ユニット６０の収納位置に収納させる。
【００３２】
押圧ユニット５０の構造を説明する。
【００３３】
固定ユニット６０は、押付部６２を保持する箱形の押付部ホルダ６４を備えており、固定ユニット６０のほとんどの部品が押付部ホルダ６４の内部に収容されている。押付部ホルダ６４の外壁には、「Ｕ」字を横にした形状のフック（図示せず）が形成されている。このフックによってキャリッジ２０に固定ユニット６０を着脱自在に固定できる。
【００３４】
押付部ホルダ６４の内部（図６参照）の上部には、上下方向（矢印Ｄ方向及びその反対方向）に伸縮するように圧縮コイルばね６６が配置されている。この圧縮コイルばね６６の上端は押付部ホルダ６４の内壁６４ｂに固定されており、その下端は、押付部ホルダ６４の内部を上下動する押付部スライド６８に固定されている。
【００３５】
押付部ホルダ６４の側壁６４ｃの上部には、４つの開口７４ａ，７４ｂ，７６ａ，７６ｂが上下左右に並んで形成されている。これら４つの開口７４ａ，７４ｂ，７６ａ，７６ｂには、押付部スライド６８のうち側壁６４ｃに近い部分から上に延びる一対のアーム７２ａ，７２ｂの係止突起７２ｃ，７２ｄが選択的に入り込む。
【００３６】
押付部スライド６８の下部には、記録媒体を凸部５２に押し付ける押付部６２が回転自在に固定されている。押付部６２はゴムのような弾性体で構成されており、切断線方向に自在に回転する。押付部６２を弾性体で作成した場合、グリップ力が生じるので記録媒体を押し付けるためには有利である。
【００３７】
記録紙を切断するとき以外のとき（例えば画像形成動作中）、押付部スライド６８は押付部ホルダ６４の中央部付近に位置している。この状態では押付部６２は、押付部ホルダ６４内部の収納位置に位置している。この状態では、一対のアーム７２ａ，７２ｂの係止突起７２ｃ，７２ｄが開口７４ａ，７４ｂの下壁に当接して係止されている。このため、圧縮コイルばね６６が押付部スライド６８を下方に付勢しても、押付部６２は収納位置に位置したままである。
【００３８】
記録紙を切断する切断動作の指令が送信されたとき、図７に示すフローのように、キャリッジ２０が所定位置に向けて移動する（Ｓ８０１）。ここで、所定位置とは、画像形成領域から外れた領域のうち矢印Ｂ方向（図１参照）の端の位置をいい、トリガー５４が配置されている位置である。キャリッジ２０が所定位置に到達する（Ｓ８０２）ことにより、トリガー５４が２つの係止突起７２ｃ，７２ｄを内側に押してアーム７２ａ，７２ｂを撓ませる。これにより、２つの係止突起７２ｃ，７２ｄの係止が解除されて、圧縮コイルばね６６が押付部スライド６８を下方に付勢する。この結果、押付部６２が押付位置に移行し、押付部６２が押付部ホルダ６４から飛び出る（Ｓ８０３）。
【００３９】
上記の所定位置に位置するキャリッジ２０は矢印Ｃ方向に移動して幅方向中央部に向かう（Ｓ８０４）。この場合、押圧部６２は排紙ガイド３０の上方に位置しており、排紙ガイド３０の表面は凸部５２よりも低いので、押圧部６２が排紙ガイド３０から離れている。従って、排紙ガイド３０に載置された記録媒体を押圧部６２が皺にしたり破損させたりすることはない。
【００４０】
キャリッジ２０が幅方向中央部に移動して、上述したように、記録媒体のうち凸部５２に載置されている部分を押付部６２がその記録媒体の上面から押し付ける。即ち、凸部５２と押付部６２によって記録媒体が挟み込まれる（Ｓ８０５）。これにより、記録媒体は、その幅方向中央部分が押え付けられることとなる。この状態で、丸刃（図示せず）を備えた切断装置９０を下刃９２に沿って（切断線３２に沿って）移動させて記録媒体を切断線３２で切断する（Ｓ８０６）。
【００４１】
上記の切断の後、キャリッジ２０を矢印Ｃ方向に移動させる（Ｓ８０７）。押付部６２が収納用傾斜部５６に乗り上げる（Ｓ８０８）。キャリッジ２０がさらに矢印Ｃ方向に移動する（Ｓ８０９）ことにより、押付部６２が収納用傾斜部５６の斜面を上り、これにより、押付部６２と押付部スライド６８が上昇して、２つの係止突起７２ｃ，７２ｄが開口７４ａ，７４ｂに嵌り込んで係止される。この結果、押付部６２が押付位置から収納位置に移行して収納位置に位置したままとなり（Ｓ８１０）、一連の記録紙切断動作が終了する。
【００４２】
上記の幅方向中央部に位置するキャリッジ２０が矢印Ｃ方向に移動して収納用傾斜部５６に向かう場合、押付部６２は排紙ガイド３０の上方に位置しており、排紙ガイド３０の表面は凸部５２よりも低いので、押付部６２が排紙ガイド３０から離れている。従って、排紙ガイド３０に載置された記録媒体を押圧部６２が皺にしたり破損させたりすることはない。
【実施例２】
【００４３】
図８から図２０までを参照して本発明の実施例２について説明する。
【００４４】
図８は、本発明の画像形成装置の一例であるインクジェットプリンタを示し、大判サイズのロール状記録紙に画像を形成できるものである。図９は、図８に示すインクジェットプリンタの断面を示す模式図である。
【００４５】
インクジェットプリンタ１００を使用して記録紙１０２に画像を形成するためには、記録紙１０２の先端を搬送ローラ１０４とピンチローラ１０６で記録紙１０２を挟持させてセットし、所定の操作をして印字動作を開始させる。これにより、搬送ローラ１０４とピンチローラ１０６に挟持された記録紙１０２は所定の制御に従って搬送される。搬送途中で所定のタイミングで記録紙１０２が一旦停止し、この停止中に、キャリッジ１０８が、搬送方向（矢印Ａ方向）に直交する主走査方向（矢印Ｂ，Ｃ方向）に往復動（走査）しながら、キャリッジ１０８に搭載されたインクジェットヘッド（図示せず）からインクを吐出する。この吐出されたインクによって、記録紙１０２のうちプラテン１１０に載置された部分に画像が形成される（印字される）。なお、プラテン１１０には、記録紙１０２を平滑に保持するためのエアーを吸引する多数の吸引孔１１０ａ（図１１参照）が形成されている。
【００４６】
プラテン１１０上で記録紙１０２に印字され、印字済みの記録紙１０２は排紙ガイド１０３に案内されながら搬送されて用紙受け用バスケット１１４に収容される。この用紙受け用バスケット１１４は、本体１０１が載置されているスタンド１１２に設けられている。印字が終了し、印字後の用紙を取り出すときは、本体操作部（図示せず）を操作し、後述する用紙切断用の切断装置１２０（図１０参照）を作動させる。
【００４７】
ここで、図１０を参照して、切断された記録紙１０２が自重で傾く例を説明する。
【００４８】
図１０は、切断された記録紙が自重で傾いた例を示す模式図である。
【００４９】
従来のインクジェットプリンタでは、図１０に示すように、記録紙１０２の幅方向（矢印Ｗ方向）一端から切断作業が開始されて、幅方向他端に向かって切断装置１２０が移動することにより印字済用紙を切断して取り出す。記録紙１０２が大判サイズの場合、記録紙１０２を切断する切断作業途中で、切り離そうとする印字済用紙の自重により、印字済用紙にモーメント（矢印Ｍ）が働いて切り口が乱れてしまう。
【００５０】
上記した切断装置１２０について図１１と図１２を参照して説明する。
【００５１】
図１１は、カッタ装置を側面から示す説明図である。図１２は、カッタ装置を正面から示す説明図である。
【００５２】
プラテン１１０のうち搬送方向（矢印Ａ方向）下流側部分には、カッタガイド板１２２が固定されている。プラテン１１０の上面とカッタガイド板１２２の上面とは同一面上に配置されている。カッタガイド板１２２よりも搬送方向下流側部分にはカッタ基板１２４が配置されている。カッタ基板１２４は、案内コロ１２６と押えコロ１２８ａとによってカッタガイド板１２２に摺動自在に保持されている。また、カッタ基板１２４には、カッタ刃１３１が一対の押えコロ１２８ａ，１２８ｂに挟持されて回転自在に固定されている。
【００５３】
カッタガイド板１２２は、一方の押えコロ１２８ａと案内コロ１２６によって挟持されるように配置されている。また、カッタガイド板１２２の上面を、プラテン１１０を通過した記録紙１０２が通過する。従って、カッタガイド板１２２と押えコロ１２８ａとによって、カッタガイド板１２２上の記録紙１０２が挟持されることとなる。カッタ基板１２４には、ワイヤ固定具１３０によってカッタ刃駆動用ワイヤ１３２が固定されている。図１２に示すように、カッタ刃駆動用ワイヤ１３２は本体１０１の巾方向にループ状に配置されており、駆動用モータ１３４によって駆動される。
【００５４】
駆動モータ１３４が制御部（図示せず）からカッタ動作の信号を受けたときは、駆動モータ１３４が駆動し始めて、切断装置１２０をカッタガイド板１２２に沿って矢印Ｂ，Ｃ方向に移動させる。このときに、押えコロ１２８ａと案内コロ１２６でカッタガイド板１２２上の記録紙１０２を挟持しながらカッタ刃１３１が回転移動して記録紙１０２を切断する。なお、図１２に示すように、切断装置１２０に並んだ矢印Ｂ方向下流側であって印字領域から外れた位置には、後述する押付ユニット１４０が配置されている。
【００５５】
図１３から図２０までを参照して、切断されて排出される記録媒体の排紙方向上流側部分を押え付けるベルト状部材について説明する。
【００５６】
図１３は、ベルト状部材を備えた押付ユニットを示す模式図である。図１４は、押付ユニットと切断装置を連結する連結器機構を示す模式図である。図１５は、図１４の連結器の連結カムを示す斜視図である。図１６は、切断装置が押付ユニットに接近してから連結されるまでを示す模式図である。図１７は、切断装置によって引き出されたベルト状部材を示す模式図である。図１８は、電磁石を作動させる制御器等を示す模式図である。図１９は、押付ユニットと切断装置の連結が解除される状態を示す模式図である。図２０は、ベルト状部材で押え付けられながら切断されている記録紙を示す斜視図である。
【００５７】
押付ユニット１４０は、上述したように、切断装置１２０に並んだ矢印Ｂ方向下流側であって印字領域から外れた位置に配置されている。
【００５８】
押付ユニット１４０は、半円板状の筐体１４２と、この筐体１４２の内部で巻かれた所定幅で磁性体のスチールベルト１４４（本発明にいうベルト状部材の一例である）とを備えている。巻かれたスチールベルト１４４の中心端部には、スチールベルト１４４を巻き戻すためのスプリング機構１４６（本発明にいう巻き戻し機構の一例である）に接続されている。また、スチールベルト１４４の外側端部１４４ａは、切断装置１２０に連結するフック部材１４８に接続されている。フック部材１４８を矢印Ｃ方向に引き出すことによりスチールベルト１４４が繰り出されていく。このスチールベルト１４４が繰り出される回転によってスプリング機構１４６に巻き戻し用のばね力が貯えられる。この機構は、いわゆる「巻き尺」で一般的な構造である。
【００５９】
スチールベルト１４４と切断装置１２０との連動について説明する。
【００６０】
記録紙１０２を切断する場合、図２１に示すように、切断装置１２０は待機位置からその反対位置、即ち押付ユニット１４０の位置に移動し（Ｓ２１１）、図１６に示すように、切断装置１２０のフック部１２１がフック部材１４８に引っ掛かる（Ｓ２１２）。切断装置１２０のフック部１２１は、可撓性の支持棒１２１ａとその先端部の引掛部１２１ｂからなる。フック部１２１がフック部材１４８に引っ掛かることにより、切断装置１２０とスチールベルト１４４が連結される（Ｓ２１３）。この連結された状態で切断装置１２０は切断作業を開始し（Ｓ２１４）、切断装置１２０はスチールベルト１４４を繰り出しながら矢印Ｃ方向に移動する。繰り出されたスチールベルト１４４は、図１７，図１８に示すように、切り離されようとする記録紙１０２ａの後端部（排紙方向上流側部分）を押え付ける（Ｓ２１５）。
【００６１】
切り離されようとする記録紙１０２ａが載置されている排紙ガイド１０３の内側には、用紙サイズに対応した位置に電磁石１５０が複数個設置されている。ここでいう用紙サイズに対応した位置とは、どのようなサイズの用紙が搬送されてきても少なくとも１つの電磁石１５０がその用紙の下（好ましくはその用紙の幅方向中央部よりも矢印Ｂ方向上流側）にあるような位置である。
【００６２】
本体１０１の制御部（図示せず）から、使用している用紙のサイズの信号を受け、図１８に示すように、サイズに対応した位置の電磁石１５０が働くように制御器１５２で電磁石用電源１５４を制御する。例えば４２インチ巾の記録紙１０２の場合は、そのサイズに対応した電磁石１５０ａを働かせるように制御器１５２で制御する。スチールベルト１４４はその吸着力を受けて記録紙１０２ａを軽く押え込みながら切断方向（矢印Ｃ方向）に切断装置１２０と共に移動して（Ｓ２１６）、図２０に示すように、切断巾全域を覆っていく。このようにスチールベルト１４４で切断巾全域を覆いながら切断装置１２０で記録紙を切断する（Ｓ２１７）。ここでスチールベルト１４４が電磁石１５０によって吸着される吸着力は、スチールベルト１４４の移動を妨げないが、記録紙１０２ａの自重による傾斜を防止できる吸着力である。
【００６３】
切断終了直前までは電磁石１５０による吸着を働かせ、切断終了の信号を制御器１５２が受けて（Ｓ２１８）電磁石１５０はオフとされる（Ｓ２１９）。これにより記録紙１０２ａを押え付ける力は解除され、記録紙１０２ａは用紙受け用バスケット１１４に収納される。
【００６４】
切断動作が終了した後、切断装置１２０に押付ユニット１４０に向かう方向（矢印Ｂ方向）へ移動する信号を与える。この信号によって、フック部材１４８とフック部１２１が連結した状態で切断装置１２０が移動する（Ｓ２２０）。スチールベルト１４４が切断装置１２０と共に移動しながらスプリング部１４６によって巻き戻されて元の位置に戻る。
【００６５】
押付ユニット１４０の近傍には、切断装置１２０とスチールベルト１４４との連結を解除する連結解除ユニット１６０が配置されている。連結解除ユニット１６０は、中心軸１６２を中心にして所定角度だけ回動する解除アーム１６４を有する。解除アーム１６４の長手方向中央部に中心軸１６２が位置している。解除アーム１６４の長手方向一端部には凸部１６６が形成されており、長手方向他端部１６８はスライドカム１７０の溝１７２に嵌まり込んでいる。スライドカム１７０はソレノイド１７２によって矢印Ｄ方向及びその反対方向に移動する。
【００６６】
切断装置１２０とスチールベルト１４４との連結を解除するときには、切断装置１２０を矢印Ｂ方向に移動させて凸部１６６の真上にフック部１２１の引掛部１２１ｂを位置させる（Ｓ２２１）。この状態でスライドカム１７０が矢印Ｄ方向とは反対方向に移動して凸部１６６を上昇させることによりフック部１２１の引掛部１２１ｂを押し上げる（Ｓ２２２）。この状態で切断装置１２０が矢印Ｃ方向に移動する（Ｓ２２３）ことにより、切断装置１２０とスチールベルト１４４との連結が解除される（Ｓ２２４）。この解除後は、スライドカム１７０が矢印Ｄ方向に移動して凸部１６６を下降させる。これにより、フック部１２１の引掛部１２１ｂがフック部材１４８に引っ掛かれる状態となる。
【００６７】
以上説明したように、大判サイズの記録紙１０２を切断する際に、切断されて排出される記録紙１０２ａをスチールベルト１４４で押え付けておくことにより、排出される記録紙１０２ａが自重で傾く事が防止される。従って、記録紙１０２を切断装置１２０で真っ直ぐに切断できる。この結果、切断されて排出された記録紙１０２ａを切断し直すなどの作業は不要となる。
【産業上の利用可能性】
【００６８】
大判サイズの記録紙であってもそれを切断するときに自重で傾かせることがないので真っ直ぐに切断できる。
【図面の簡単な説明】
【００６９】
【図１】第１実施形態のインクジェットプリンタ（プロッタ）を示す斜視図である。
【図２】記録媒体を押し付けておく押付ユニットが備えられたキャリッジを示す斜視図であり、部品や部材を省略している。
【図３】凸部が形成された排紙ガイドを上面から見た斜視図である。
【図４】押付ユニットを示す側面図である。
【図５】キャリッジに固定された押付ユニットを示す斜視図である。
【図６】押付ユニットの内部を示す斜視図である。
【図７】実施例１の切断手順を示すフロー図である。
【図８】本発明の画像形成装置の一例であるインクジェットプリンタを示し、大判サイズのロール状記録紙に画像を形成できるものである。
【図９】図８に示すインクジェットプリンタの断面を示す模式図である。
【図１０】切断された記録紙が自重で傾いた例を示す模式図である。
【図１１】カッタ装置を側面から示す説明図である。
【図１２】カッタ装置を正面から示す説明図である。
【図１３】ベルト状部材を備えた押付ユニットを示す模式図である。
【図１４】押付ユニットと切断装置を連結する連結器機構を示す模式図である。
【図１５】図１４の連結器の連結カムを示す斜視図である。
【図１６】切断装置が押付ユニットに接近してから連結されるまでを示す模式図である。
【図１７】切断装置によって引き出されたベルト状部材を示す模式図である。
【図１８】電磁石を作動させる制御器等を示す模式図である。
【図１９】押付ユニットと切断装置の連結が解除される状態を示す模式図である。
【図２０】ベルト状部材で押え付けられながら切断されている記録紙を示す斜視図である。
【図２１】実施例２の切断手順を示すフロー図である。
【符号の説明】
【００７０】
１０  プロッタ
３０  排紙ガイド
３２  切断線
５０，１４０  押付ユニット
５２  凸部
５４  トリガー
５６  収納傾斜部
６０  固定ユニット
６２  押付部
１００  インクジェットプリンタ
１４４  スチールベルト
１４６  スプリング機構
１４８  フック部材
【図１】
2005238785.tif 000003
【図２】
2005238785.tif 000004
【図３】
2005238785.tif 000005
【図４】
2005238785.tif 000006
【図５】
2005238785.tif 000007
【図６】
2005238785.tif 000008
【図７】
2005238785.tif 000009
【図８】
2005238785.tif 000010
【図９】
2005238785.tif 000011
【図１０】
2005238785.tif 000012
【図１１】
2005238785.tif 000013
【図１２】
2005238785.tif 000014
【図１３】
2005238785.tif 000015
【図１４】
2005238785.tif 000016
【図１５】
2005238785.tif 000017
【図１６】
2005238785.tif 000018
【図１７】
2005238785.tif 000019
【図１８】
2005238785.tif 000020
【図１９】
2005238785.tif 000021
【図２０】
2005238785.tif 000022
【図２１】
2005238785.tif 000023
【手続補正書】
【提出日】平成17年4月15日(2005.4.15)
【手続補正１】
【補正対象書類名】特許請求の範囲
【補正対象項目名】全文
【補正方法】変更
【補正の内容】
【特許請求の範囲】
【請求項１】
画像が形成された記録媒体を、所定の排紙方向に交差する切断線で切断して前記排紙方向に排出する画像形成装置において、
記録媒体のうち前記切断線よりも排紙方向下流側の直近部分であって、且つ、前記排紙方向に直交する幅方向の中央部分を押え付ける押付手段を備えたことを特徴とする画像形成装置。
【請求項２】
前記押付手段は、
記録媒体をその上面から押え付ける押付部と、
該押付部の下方から記録媒体の下面を押し上げる凸部とを有するものであることを特徴とする請求項１に記載の画像形成装置。
【請求項３】
前記押付部は、
前記切断方向に自在に回転するものであることを特徴とする請求項１又は２に記載の画像形成装置。
【請求項４】
画像が形成された記録媒体を、所定の排紙方向に交差する切断線で切断して前記排紙方向に排出する画像形成装置において、
切断されて排出される記録媒体の排紙方向上流側部分を押え付けるベルト状部材を備え、
該ベルト状部材は、記録媒体の上面からこの記録媒体を押え付けるものであり、
前記ベルト状部材の下方に配置されて該ベルト状部材を吸着する吸着部材を備えたことを特徴とする画像形成装置。
【請求項５】
前記ベルト状部材は、磁性体のものであり、
前記吸着部材は、前記ベルト状部材の長手方向に並んで配置された複数の電磁石からなるものであり、
これら複数の電磁石は、
画像が形成されて切断される記録媒体のサイズに応じたものだけが前記ベルト状部材を吸着するように動作するものであることを特徴とする請求項４に記載の画像形成装置。